(57)【要約】【課題】駐車場検索の際に運転者の属性に合った駐車場情報を運転者に提案できる技術を提供する。【解決手段】駐車場検索システムは、駐車場で過去の複数の車両が駐車した際の切り返し回数にもとづく平均切り返し回数と、運転者の駐車スキルを示すスキル値と、当該運転者が運転する車両の大きさを示すサイズ値と、駐車に関する運転者の嗜好または運転傾向を示す属性情報とを保持する保持部と、平均切り返し回数と、運転者の駐車スキルを示すスキル値と、車両の大きさを示すサイズ値とにもとづいて運転者に関する駐車場の駐車難度を導出する導出部と、運転者が駐車場を検索した際に、駐車難度と運転者の属性情報とを用いて駐車場の検索結果を生成する生成部と、を備える。【選択図】図４
2019152992.tif 000002
【特許請求の範囲】
【請求項１】
駐車場で過去の複数の車両が駐車した際の切り返し回数から導出される平均切り返し回数と、運転者の駐車スキルを示すスキル値と、当該運転者が運転する車両の大きさを示すサイズ値と、駐車に関する運転者の嗜好または運転傾向を示す属性情報とを保持する保持部と、
平均切り返し回数と、運転者の駐車スキルを示すスキル値と、車両の大きさを示すサイズ値とにもとづいて運転者に関する駐車場の駐車難度を導出する導出部と、
運転者が駐車場を検索した際に、駐車難度と運転者の属性情報とを用いて駐車場の検索結果を生成する生成部と、を備えることを特徴とする駐車場検索システム。
【発明の詳細な説明】
【技術分野】
【０００１】
本発明は、駐車場検索の際に駐車場に関する情報を提供する駐車場検索システムに関する。
【背景技術】
【０００２】
特許文献１には、駐車場に駐車したときの運転データから運転スキルを示すスキル値を算出する端末装置と、駐車場に駐車したときの運転データを収集して、その駐車場に駐車する難易度を算出するサーバ装置と、を備える駐車場検索システムが開示されている。この端末装置は、駐車場の難易度と運転者の運転スキルにもとづいて駐車場の情報を検索結果として出力するか判定する。駐車場の難易度と運転者の運転スキルは、駐車時の切り返し回数にもとづく。
【先行技術文献】
【特許文献】
【０００３】
【特許文献１】特開２０１７−１３８６３９号公報
【発明の概要】
【発明が解決しようとする課題】
【０００４】
特許文献１に開示される技術は、運転者が駐車場を検索した際に運転者の技術に応じた駐車場の情報を提供するが、その駐車場が運転者の好みに合ったものであるか不明である。運転者が駐車場を検索した際に、運転者の個々の属性に合った駐車場情報を提案できると好ましい。
【０００５】
本発明の目的は、駐車場検索の際に運転者の属性に合った駐車場情報を運転者に提案できる技術を提供することにある。
【課題を解決するための手段】
【０００６】
上記課題を解決するために、本発明のある態様の駐車場検索システムは、駐車場で過去の複数の車両が駐車した際の切り返し回数から導出される平均切り返し回数と、運転者の駐車スキルを示すスキル値と、当該運転者が運転する車両の大きさを示すサイズ値と、駐車に関する運転者の嗜好または運転傾向を示す属性情報とを保持する保持部と、平均切り返し回数と、運転者の駐車スキルを示すスキル値と、車両の大きさを示すサイズ値とにもとづいて運転者に関する駐車場の駐車難度を導出する導出部と、運転者が駐車場を検索した際に、駐車難度と運転者の属性情報とを用いて駐車場の検索結果を生成する生成部と、を備える。
【０００７】
この態様によると、駐車に関する運転者の嗜好または運転傾向を示す属性情報をもとに駐車場情報を表示させるため、運転者は個々の属性に合った駐車場を選びやすくなる。
【発明の効果】
【０００８】
本発明によれば、駐車場検索の際に運転者の属性に合った駐車場情報を運転者に提案できる技術を提供できる。
【図面の簡単な説明】
【０００９】
【図１】駐車場検索システムの機能構成を説明するための図である。
【図２】車載端末の機能構成を説明するための図である。
【図３】保持部に保持されるユーザ情報および駐車場情報を説明するための図である。
【図４】ディスプレイに表示される駐車場の検索結果を示す図である。
【発明を実施するための形態】
【００１０】
図１は、駐車場検索システム１の機能構成を説明するための図である。また、図２は、車載端末１２の機能構成を説明するための図である。図１および図２において、さまざまな処理を行う機能ブロックとして記載される各要素は、ハードウェア的には、回路ブロック、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１１】
駐車場検索システム１は、運転者が駐車場を検索した際に、駐車場に関する情報を提供する。駐車場検索システム１は、ネットワークを介して接続されるサーバ装置１０および車載端末１２により構成される。
【００１２】
車載端末１２は、車両に設けられ、駐車場に車両を駐車した際の車両状態情報をサーバ装置１０に送信する。また、車載端末１２は、運転者が駐車場を検索した際に、サーバ装置１０から駐車場に関する情報を受け取って、駐車場の停めにくさを示す駐車難度を駐車場の検索結果に含めて運転者に提供する。
【００１３】
サーバ装置１０は、複数の車載端末１２から駐車した際の情報を収集して、各運転者の駐車スキルを算出し、駐車場毎に運転情報を生成する。また、サーバ装置１０は、車載端末１２から駐車場検索の要求を受け付けると、検索結果として駐車場に関する情報を生成して車載端末１２に送信する。サーバ装置１０は、通信部２０、スキル算出部２２、難度生成部２４、保持部２６、導出部２８および生成部３０を有する。
【００１４】
図２に示すように、車載端末１２は、車両状態取得部３２、位置情報取得部３４、通信部３６および制御部３８を有する。車載端末１２には、車両に設けられたディスプレイ１４、入力部１６および車両用センサ１８に接続される。
【００１５】
ディスプレイ１４は、制御部３８の表示制御により、駐車場に関する情報や地図情報を画像で表示する。入力部１６は、機械式スイッチやタッチパッドなど、運転者からの入力を受け付けて入力信号として制御部３８に送る。
【００１６】
車両用センサ１８は、車両状態情報を検出し、特に運転者の駐車時の運転情報を検出する。車両用センサ１８は、シフトレバーの位置を検出するシフトレバー位置センサ、操舵角を検出する操舵角センサ、車速を検出する車速センサ、車両周辺を撮像する車載カメラなどを含む。車両用センサ１８により検出された車両状態情報にもとづいて、駐車時の切り返し回数が算出される。
【００１７】
車載端末１２の車両状態取得部３２は、検出された車両状態情報を取得する。位置情報取得部３４は、ＧＰＳ（Global Positioning System）を用いて車両の位置情報を取得し、例えばナビゲーション装置から車両の位置情報を取得する。
【００１８】
制御部３８は、車両状態取得部３２が取得した車両状態情報と、位置情報取得部３４が取得した位置情報とをユーザＩＤを付して通信部３６によりサーバ装置１０へ送信させる。つまり、制御部３８は、駐車時の運転情報とその駐車場の位置情報とをサーバ装置１０へ送信させる。制御部３８は、車両の大きさを示すサイズ値を、駐車時の運転情報に付して送信させる。なお、車両の大きさを示すサイズ値は、予めサーバ装置１０に登録されてもよい。
【００１９】
制御部３８は、例えば自車両周辺にある駐車場検索の要求を入力部１６から受け付けると、通信部３６を介してサーバ装置１０から駐車場検索の要求をユーザＩＤを付して送る。制御部３８は、サーバ装置１０から駐車場に関する情報を受け取って、駐車場の検索結果を示す画像を生成して、その画像をディスプレイ１４に表示させ、運転者に提供する。
【００２０】
図１に戻る。スキル算出部２２は、通信部２０を介して駐車時の車両状態情報、すなわち、駐車時の運転情報と駐車場の位置情報を受け取り、蓄積された駐車時の運転情報をもとに運転者の運転スキルを示すスキル値を算出する。スキル算出部２２は、駐車場内での車両状態情報にもとづいて車両の切り返し回数を算出し、駐車時の車両の切り返し回数と、その駐車場の平均切り返し回数との差にもとづいて運転者のスキル値を算出する。運転者のスキル値は、駐車時の車両の切り返し回数の平均値であってもよい。
【００２１】
スキル算出部２２は、駐車場内にて、シフトレバーの位置が進行ポジションから後退ポジションを経て進行ポジションに戻った場合と、後退ポジションから進行ポジションを経て後退ポジションに戻った場合とをそれぞれ１回の車両の切り返しとする。スキル算出部２２は、算出した運転者のスキル値をユーザ情報として保持部２６に保持させる。
【００２２】
切り返し算出部２４は、駐車場に駐車した際の車両の運転情報を収集し、収集した運転情報にもとづいて駐車時の車両の平均切り返し回数を算出する。切り返し算出部２４は、車両の運転情報に関連付けられた駐車場の位置情報をもとに、いずれの駐車場に駐車したときの運転情報であるか特定する。駐車場の平均切り返し回数は、その駐車場で各車両が駐車したときの平均値である。なお、駐車場の平均切り返し回数は、車両の大きさによって分類して算出してよい。例えば、車両の大きさを３段階に分け、それぞれの段階毎に駐車場の平均切り返し回数を算出する。これにより、駐車難度を精度良く算出できる。切り返し算出部２４は、切り返し回数を示す運転情報を駐車場情報として保持部２６に保持させる。駐車場検索の際には、検索した運転者が乗車する車両の大きさに応じて、平均切り返し回数を提供する。
【００２３】
保持部２６は、ユーザ情報と駐車場情報とを保持する。ユーザ情報には、運転者の嗜好および／または運転傾向を示す属性情報が含まれる。駐車場情報には、平均切り返し回数を示す運転情報が含まれる。
【００２４】
図３は、保持部２６に保持されるユーザ情報および駐車場情報を説明するための図である。図３（ａ）は、ユーザ情報を示しており、ユーザ情報は、ユーザＩＤ、スキル値、サイズ値および属性情報を含む。スキル値は、スキル算出部２２に算出されたユーザの駐車スキルを示す値であり、過去の駐車時の切り返し回数にもとづいて算出される。サイズ値は、乗車している車両の大きさを示す。
【００２５】
運転者の属性情報は、駐車に関する運転者の嗜好および／または運転傾向を示すもので、運転者が過去に駐車した駐車場情報および運転情報にもとづいて算出され、運転者が嗜好する駐車場を抽出するために用いられる。運転者の属性情報をもとに、運転者が過去に駐車した駐車場の情報に似ている駐車場を運転者に案内することができる。
【００２６】
運転者の属性情報は、前向きに駐車した回数、後ろ向きに駐車した回数、右側に切り返した回数、左側に切り返した回数などをもとに算出される駐車時の運転傾向を示す情報を含む。これにより、右側に切り返しやすい駐車スペースや、左側に切り返しやすい駐車スペースなど、運転者の運転傾向に合う駐車スペースがある駐車場を案内することができる。また、運転者が駐車した駐車スペースの位置情報が属性情報として保持される。運転者が駐車した駐車スペースの位置は、車載カメラにより取得した撮像画像を解析して特定される。これにより、運転者が右端の駐車スペースを避ける運転傾向、左端の駐車スペースを避ける運転傾向などが属性情報として記憶される。
【００２７】
図３（ｂ）は、駐車場情報を示しており、駐車場情報は、駐車場ＩＤ、位置情報、平均切り返し回数を示す運転情報、空き情報、ロック板の有無、支払手段、営業時間、屋根の有無を含む。位置情報は、車載端末１２から受け取った駐車時の運転情報がいずれの駐車場に対応するか特定するために用いられる。
【００２８】
平均切り返し回数を示す運転情報は、駐車場の停めにくさを示す指標であり、切り返し算出部２４によって各ユーザがその駐車場で駐車時に切り返した回数にもとづいて算出される。空き情報は、駐車スペースの空きの有無を示す情報と、空いてる駐車スペースの駐車場内での位置情報を含む。空いている駐車スペースの位置情報は、運転者の運転傾向に合う駐車スペースであるかの判定に用いられる。駐車スペースの位置情報は、駐車場に設けられたカメラの撮像画像を解析して取得できる。
【００２９】
ロック板の有無は、運転者が嗜好する駐車場であるか判定する要素の一つとしてい用いられる。支払手段は、クレジットカードを利用可否を示し、運転者が嗜好する駐車場であるか判定する要素の一つとしてい用いられる。営業時間は、駐車場の出し入れ可能な時間帯を示す。屋根の有無は、駐車場に屋根が付いているか示し、運転者が嗜好する駐車場であるか判定する要素の一つとして用いられる。このように、駐車場情報には、ユーザの嗜好に合う駐車場であるか判定するための情報が含まれる。
【００３０】
図１に戻る。導出部２８は、平均切り返し回数と、運転者の駐車スキルを示すスキル値と、当該運転者が運転する車両の大きさを示すサイズ値とにもとづいて運転者に対する駐車場の駐車難度を導出する。導出部２８は、駐車場検索の要求を受け付けたときに、その運転者の駐車スキルおよび当該運転者が運転する車両の大きさに応じた駐車難度を導出する。導出部２８は、保持部２６に保持される平均切り返し回数を、運転者のスキル値と車両のサイズ値に応じて補正して、駐車難度を導出してよい。また、導出部２８は、車両のサイズ値に対応する平均切り返し回数を、運転者のスキル値に応じて補正して、駐車難度を導出してよい。これにより、運転者の駐車スキル、車両の大きさを反映した駐車の停めにくさを示す指標を提供できる。
【００３１】
生成部３０は、運転者が駐車場を検索した際に、検索結果を生成し、駐車難度および運転者の属性情報を用いた駐車場情報を生成する。生成部３０は、導出部２８により導出された駐車難度を駐車場の検索結果に含めたデータを生成する。また、生成部３０は、運転者の属性情報にもとづいて各駐車場の推薦度スコアを算出し、推薦度スコアを駐車場の検索結果に含めたデータを生成する。生成部３０は、生成した駐車場の検索結果を通信部２０を介して車載端末１２に送信させ、ディスプレイ１４に表示させる。
【００３２】
車載端末１２の制御部３８は、生成部３０により生成された駐車場の検索結果をもとに画像を生成してディスプレイ１４に表示させる
【００３３】
図４は、ディスプレイ１４に表示される駐車場の検索結果を示す。ディスプレイ１４の右側領域には、地図が表示されて自車両の位置を示すアイコン４６と、「Ａ」から「Ｅ」の駐車場の位置を示すアイコンが表示されている。
【００３４】
ディスプレイ１４の左側領域には、駐車場が並べて表示されており、駐車場名称を示す項目４０と、駐車難度を示す項目４２と、推薦度スコアであるおすすめ度を示す項目４４が駐車場情報として表示される。図４ではおすすめ度が高い順にソートされた状態で表示している。駐車難度は、「易」、「普通」、「難」の３段階で表示される。おすすめ度は、生成部３０が運転者の属性情報と駐車場情報とをもとに算出した推薦度スコアであり、運転者の運転傾向に応じた駐車場や運転者が嗜好する駐車場を薦める指標である。この例では、駐車難度が低い駐車場「Ｃ」より、駐車難度が高い駐車場「Ａ」が薦められている。運転者は、駐車難度とおすすめ度を見て、駐車場を選択できる。
【００３５】
なお、図４では、ディスプレイ１４に駐車難度とおすすめ度をの両方を表示する態様を示すが、生成部３０は、駐車難度および運転者の属性情報を用いて推薦度スコアを算出して、おすすめ度のみを表示してもよい。
【００３６】
なお実施例はあくまでも例示であり、各構成要素の組合せにいろいろな変形例が可能なこと、またそうした変形例も本発明の範囲にあることは当業者に理解されるところである。
【００３７】
実施例では、駐車場検索システム１をサーバ装置１０および車載端末１２で構成する態様を示したが、この態様に限られない。例えば、駐車場を検索する端末は、運転者の携帯端末であってよい。運転者の携帯端末は、駐車場の検索をサーバ装置１０にユーザＩＤを付けて要求し、サーバ装置１０は、駐車場の検索結果を携帯端末に送信してよい。
【符号の説明】
【００３８】
１  駐車場検索システム、  １０  サーバ装置、  １２  車載端末、  １４  ディスプレイ、  １６  入力部、  １８  車両用センサ、  ２０  通信部、  ２２  スキル算出部、  ２４  切り返し算出部、  ２６  保持部、  ２８  導出部、  ３０  生成部、  ３２  車両状態取得部、  ３４  位置情報取得部、  ３６  通信部、  ３８  制御部。
【図１】
2019152992.tif 000003
【図２】
2019152992.tif 000004
【図３】
2019152992.tif 000005
【図４】
2019152992.tif 000006